(57)【要約】【課題】  低コストにて、公営競技の運営に必要な現金量および現金を取り扱う作業量や人員を大幅に削減する。【解決手段】  公営競技場のトータリゼータシステムの端末装置１に、架空のレースに投票される未確定投票券としてのチケット５を通常の投票券７と等価な体裁および仕組みで発行する発券部１−４を設けるとともに、通常の投票券７の購入に際して、このチケット５を的中券／チケット読取部１−７から読み込んで払い戻し処理を行い、この払戻金にて投票券７の購入金額を精算する機能を設けた。集計装置側との通信インターフェイスは不変であり、集計装置や端末装置１を大幅に変更することなく、しかも通常の投票券７と全く異なる高コストの特別なバウチャ券等を用いることなく、公営競技の運営に必要な現金量および現金を取り扱う作業量や人員を大幅に削減することができる。【選択図】図１
2005292931.tif 000002
【特許請求の範囲】
【請求項１】
開催されない架空のレースの投票組番に対応した第１投票券を現金と引き換えに発行するステップと、
実際に開催されるレースの投票組番に対応した第２投票券を発行するための代金を、前記第１投票券のキャンセルに対する払戻金を用いて精算するステップと、
を含むことを特徴とする投票方法。
【請求項２】
トータリゼータシステムの集計装置に接続される端末装置であって、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を含むことを特徴とする端末装置。
【請求項３】
集計装置に接続される複数の端末装置を含むトータリゼータシステムであって、
前記端末装置は、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を含むことを特徴とするトータリゼータシステム。
【請求項４】
コンピュータをトータリゼータシステムの端末装置として機能させるプログラムであって、
前記コンピュータに、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を実現させることを特徴とするプログラム。
【請求項５】
コンピュータをトータリゼータシステムの端末装置として機能させるプログラムが格納されたコンピュータ読み取り可能な記録媒体であって、
前記コンピュータに、開催されない架空のレースの投票組番に対応した第１投票券を現金と引き換えに発行する機能と、実際に開催されるレースの投票組番に対応した第２投票券を発行するための代金を、前記第１投票券のキャンセルに対する払戻金を用いて精算する機能と、を実現させるプログラムが格納された記録媒体。
【発明の詳細な説明】
【技術分野】
【０００１】
本発明は、競輪、競馬、競艇、オートレース等の公営競技等における投票方法およびトータリゼータ技術等に適用して有効な技術に関する。
【背景技術】
【０００２】
たとえば、競輪、競馬、競艇、オートレース等の公営競技では、開催されるレース毎の組番の勝敗等を予想して対応する投票券を購入し、自分の投票が的中した場合に投票券と引き換えに掛け率に応じた配当を受け取る仕組みになっている。この場合、投票券の購入や配当の受け取り等は現金が基本となっている。また、このような競技場内での投票券の販売や配当の計算および払い戻し等の処理を行う端末やホストコンピュータ等からなる情報処理システムはトータリゼータシステムと呼ばれている。
【０００３】
すなわち、従来、競馬場等の公営競技場で投票券を購入するには、現金を端末装置に投入して投票券を購入し、お釣りを現金で貰うという事が行われている。しかし、競技場の内外には投票券の発行や払い戻し等を行う端末装置が多数ある為、個々の端末装置に現金をセットする作業、途中で現金を補充する作業、最後に現金を回収する作業、といった各種の作業に多大な人員が必要となっている。また、朝一番に端末装置にセットする現金は、銀行から借り入れてくる物であり、金利がかかってくるといった費用面の問題があった。
【０００４】
この問題を解決する為、海外ではバウチャ券（購入可能な金額の記入された引き換え券）を使っており、最初に現金でバウチャ券を購入し、投票券の購入は、バウチャ券で行い、お釣りもバウチャ券で発行し、最後にバウチャ券を現金に換金するといった運用を行っている。こうする事で、１日に取り扱う現金の量を大幅に削減する事ができ、取り扱う人員、銀行からの借入金の削減に一定の効果をあげている。なお、このようなバウチャ券を用いるシステムとしては、たとえば特許文献１が知られている。
【０００５】
しかしながら、上述のように通常の投票券の他に特別なバウチャ券を用いる場合には、現金による投票券の発行や払い戻しをベースとする現行システムに対して、バウチャ券という券種を取り扱うためのハードウェアやソフトウェア等の機能を別途システムに追加する改造が必須となるため、システム全体に大規模な変更が必要であり、導入に際して費用がかかりすぎる、という技術的課題がある。
【特許文献１】特開平６−２９０１９９号公報
【発明の開示】
【発明が解決しようとする課題】
【０００６】
本発明の目的は、現行のトータリゼータシステムに大幅な変更を加えることなく、競技場の内外で競技運営に必要な現金量および現金を取り扱う作業量や人員を大幅に削減することが可能な投票技術を提供することにある。
【０００７】
本発明の他の目的は、トータリゼータシステムのソフトウェアやハードウェアの変更量を最小限に止めつつ、競技場の内外で競技運営に必要な現金量および現金を取り扱う作業量や人員を大幅に削減することが可能な端末装置を提供することにある。
【０００８】
本発明の他の目的は、集計装置と端末装置間のインターフェイスの変更を必要とすることなく、競技場の内外で競技運営に必要な現金量および現金を取り扱う作業量や人員を大幅に削減することが可能な端末装置を提供することにある。
【課題を解決するための手段】
【０００９】
本発明の第１の観点は、開催されない架空のレースの投票組番に対応した第１投票券を現金と引き換えに発行するステップと、実際に開催されるレースの投票組番に対応した第２投票券を発行するための代金を、前記第１投票券のキャンセルに対する払戻金を用いて精算するステップと、を含む投票方法を提供する。
【００１０】
本発明の第２の観点は、トータリゼータシステムの集計装置に接続される端末装置であって、開催されない架空のレースの投票組番に対応した第１投票券を現金と引き換えに発行する機能と、実際に開催されるレースの投票組番に対応した第２投票券を発行するための代金を、前記第１投票券のキャンセルに対する払戻金を用いて精算する機能と、を含む端末装置を提供する。
【００１１】
本発明の第３の観点は、集計装置に接続される複数の端末装置を含むトータリゼータシステムであって、前記端末装置は、開催されない架空のレースの投票組番に対応した第１投票券を現金と引き換えに発行する機能と、実際に開催されるレースの投票組番に対応した第２投票券を発行するための代金を、前記第１投票券のキャンセルに対する払戻金を用いて精算する機能と、を含むトータリゼータシステムを提供する。
【００１２】
本発明の第４の観点は、コンピュータをトータリゼータシステムの端末装置として機能させるプログラムであって、前記コンピュータに、開催されない架空のレースの投票組番に対応した第１投票券を現金と引き換えに発行する機能と、  実際に開催されるレースの投票組番に対応した第２投票券を発行するための代金を、前記第１投票券のキャンセルに対する払戻金を用いて精算する機能と、を実現させるプログラムを提供する。
【００１３】
本発明の第５の観点は、コンピュータをトータリゼータシステムの端末装置として機能させるプログラムが格納されたコンピュータ読み取り可能な記録媒体であって、前記コンピュータに、開催されない架空のレースの投票組番に対応した第１投票券を現金と引き換えに発行する機能と、実際に開催されるレースの投票組番に対応した第２投票券を発行するための代金を、前記第１投票券のキャンセルに対する払戻金を用いて精算する機能と、を実現させるプログラムが格納された記録媒体を提供する。
【００１４】
上記した本発明によれば、通常の投票券とは全く異なるバウチャ券の代わりに、架空のレースに投票された未確定投票券（第１投票券）を現金と引き換えに利用者に発行し、この未確定投票券の払戻金を減算処理する事で、バウチャ券を使わずに、実際のレースの投票券（第２投票券）を購入させ、精算後の残金を再度、架空レースの未確定投票券として利用者に発行できる。
【００１５】
すなわち、公営競技では、投票されたレースが未開催の場合、当該レースの投票券の購入に投じられた金額はそのまま払戻金として利用者に戻される。本発明は、このことを利用して全額の払い戻しが確実に行われる架空のレースへの未確定投票券としてチケットを発行し、このチケットへの払戻金を内部的に実際の投票券の購入に充当することで、現金を不要にするものである。
【００１６】
これにより、実際の投票券とは全く異なるために導入に大きなコストを要するバウチャ券を発行した場合と同等以上に、競技場の内外で競技運営に必要な現金量および現金を取り扱う作業量や人員を大幅に削減する効果が得られる。
【００１７】
すなわち、架空のレースに発行された未確定投票券と実際のレースに発行される投票券は、発行対象のレースが架空か、実際に開催されるかが異なるだけであり、発行の仕組み自体は全く等価であるため、たとえば、実際の投票券の台紙やセキュリティ技術を、未確定投票券の発行にそのまま用いることができる。
【００１８】
このため、たとえば、端末装置においては、未確定投票券の印刷や、未確定投票券の払戻金と実際の投票券の精算機能を実現するためのソフトウェアを追加するだけの軽微な変更で済み、ハードウェアの変更は不要であるとともに、端末装置と集計装置との間の通信情報フォーマット等のインターフェイスも通常の投票券の場合と共通であり、新たな追加定義等も全く不要であるため、集計装置等のホスト側のハードウェアやソフトウェア等の変更は全く不要である。
【００１９】
従って、現行のトータリゼータシステムのハードウェアやソフトウェアの変更を最小限に止めて、低コストにて競技場の内外で競技運営に必要な現金量および現金を取り扱う作業量や人員を、従来のバウチャ券の場合と同等以上に、大幅に削減する効果が得られる。
【発明の効果】
【００２０】
本発明によれば、現行のトータリゼータシステムに大幅な変更を加えることなく、競技場の内外で競技運営に必要な現金量および現金を取り扱う作業量や人員を大幅に削減することが可能となる。
【００２１】
また、トータリゼータシステムのソフトウェアやハードウェアの変更量を最小限に止めつつ、競技場の内外で競技運営に必要な現金量および現金を取り扱う作業量や人員を大幅に削減することが可能となる。
【００２２】
また、集計装置と端末装置間のインターフェイスの変更を必要とすることなく、競技場の内外で競技運営に必要な現金量および現金を取り扱う作業量や人員を大幅に削減することが可能となる。
【発明を実施するための最良の形態】
【００２３】
以下、図面を参照しながら、本発明の実施の形態について詳細に説明する。
図１は、本発明の一実施の形態であるトータリゼータシステムを構成する端末装置の構成の一例を示すブロック図であり、図２は、本発明の一実施の形態であるトータリゼータシステムを構成する集計装置の構成の一例を示すブロック図である。
【００２４】
本実施の形態のトータリゼータシステムは、集計装置２と、この集計装置２に情報ネットワーク３を介して接続される複数の端末装置１を含んでいる。
図１に例示されるように、端末装置１は、全体の動作を制御するＭＰＵ（Micro Processor Unit）１−１と、ＭＰＵ１−１に後述の投票方法を実現させるための制御プログラム等が更新可能に持久的に格納されるＲＯＭ（Read Only Memory）１−２、各種データを一時記憶するＲＡＭ（Random Access Memory）１−３と、投票券７及びチケット５を発券する発券部１−４と、マークシート等の投票カード６を読み込む投票カード読取部１−５と、現金８を入出金する現金処理部１−６と、チケット５を読み込む的中券／チケット読取部１−７と、上位の集計装置２と通信する為の通信インターフェイス部１−８と、記録媒体９に対する情報の記録／再生を行う可搬媒体ドライブ１−９と、を備えており、これら各部は、バス等の情報伝送路１−１１を介して相互に接続されている。
【００２５】
ＲＯＭ１−２に格納され、端末装置１において後述の投票方法を実現する制御プログラムは、記録媒体９に格納されて流通し、可搬媒体ドライブ１−９から読み出されて、ＲＯＭ１−２に格納される。また、必要に応じて、情報ネットワーク３を経由して外部のサーバ等からＲＯＭ１−２に格納することもできる。
【００２６】
あるいは、可搬媒体ドライブ１−９や記録媒体９を設けないで、後述の投票方法を実現する制御プログラムをＲＯＭ１−２に格納した状態で流通させ、ＲＯＭ１−２の着脱によって当該制御プログラムの実装や変更が行われるようにしてもよい。
【００２７】
図２に例示されるように、本実施の形態の集計装置２は、全体を制御するＭＰＵ２−１と、このＭＰＵ２−１のプログラムが格納されるＲＯＭ２−２と、各種データが一時的に記憶されるＲＡＭ２−３と、後述の集計表４−１〜４−１２および集計表４−１３等の情報が格納される外部記憶装置２−４と、情報ネットワーク３を介して個々の端末装置１と通信するための通信インターフェイス部２−５を備えている。
【００２８】
図３は、集計装置２における集計表４−１〜４−１２および集計表４−１３の構成の一例を示す概念図である。この集計表４−１〜４−１３は、集計装置２の外部記憶装置２−４内に設けられた識別毎の集計表であり、端末装置１から送られてくる投票データを各レース、識別、投票組番毎に集計している。
【００２９】
本実施の形態の場合、集計表４−１〜４−１２は、実際に開催される第１レース〜第１２レースの各々の投票券７の情報を集計するための集計表であり、集計表４−１３は、実際には開催されない架空のレースに対応した予備の集計表であり、システムの集計テスト等に使用される以外は、通常は使用されない物である。また、この集計表４−１３における投票組番４−１３ａ（本実施の形態の場合、第１３レース、識別が単勝で、組番が１番）は、本実施の形態で使用されるチケット５を発券する為に使用する様事前に決めた投票組番である。
【００３０】
図４の（ａ）および（ｂ）は、本実施の形態にて使用されるチケット５および投票券７の具体例である。
チケット５および投票券７は、ともに、たとえば、共通の台紙を用いて発券部１−４から発行されるものであり、同一部位にバーコード部５ａおよびバーコード部７ａが配置（印刷）されており、記載事項５ｂおよび記載事項７ｂが異なっているだけである。すなわち、チケット５の記載事項５ｂにはチケット券であることを示す情報が印刷され、投票券７の記載事項７ｂには、通常の投票券の情報が印刷され、ともに発券部１−４で印刷される。
【００３１】
すなわち、チケット５は、投票券７と等価な体裁であり、的中券／チケット読取部１−７にて、投票券７のバーコード部７ａを読み取るために設けられた図示しない既存のバーコードリーダ等のハードウェアを変更することなく、チケット５のバーコード部５ａの読み取りが可能である。また、記載事項５ｂおよび記載事項７ｂの違いにより、両者は目視にて明瞭に区別できる。
【００３２】
また、チケット５のバーコード部５ａに記録される情報フォーマット（この場合、あらかじめ決められた架空のレース・組番（第１３レース、単勝１番）が書き込まれている）も、架空ではあるが第１３レースに投票したものと扱われるため、実際の第１〜第１２レースに用いられる投票券７のバーコード部７ａの情報フォーマットと同じになり、セキュリティレベルもチケット５と投票券７では等しくすることができる。
【００３３】
図５の（ａ）および（ｂ）は、チケットおよび投票券の他の例を示している。すなわち、図５（ａ）のチケット５−１は、裏面に磁気ストライプ等の磁気データ部５−１ａ（この場合、チケット専用の架空のレース・組番（１３レース、単勝１番）が書き込まれている）が設けられ、表面にチケットであることを示す記載事項５−１ｂが印刷されている。図５（ｂ）の投票券７−１の裏面には磁気データ部７−１ａが設けられ、表面には、磁気データ部７−１ａが印刷されている。
【００３４】
チケット５−１の磁気データ部５−１ａは、投票券７の磁気データ部７−１ａと配置および情報フォーマットが共通であり、投票券７の読み取り用に的中券／チケット読取部１−７に設けられた図示しない既存の磁気ストライプリーダ等によって共通に読み取ることができる。
【００３５】
なお、図４（ａ）のチケット５の記載事項５ｂ、および図５（ａ）のチケット５−１の記載事項５−１ｂでは、チケット券であることを示す情報のみを記載した例を示したが、図６に例示されるチケット５−２のように、チケット券であることを示す記載事項５−２ａの他に、当該チケット５−２が架空のレースの投票券であることを示す記載事項５−２ｂ（通常の投票券とは異なる事が一目で分かるように、券面に小さく、チケット専用の架空のレース・組番（第１３レース、単勝１番）が書き込まれている）を印刷した体裁としてもよい。
【００３６】
図７は、本実施の形態において端末装置１から集計装置２に送られる投票データ電文例であり、図７（ａ）のように通常の投票券７の投票データを送る電文フォーマットに、図７（ｂ）にあるようにチケット５の投票用にあらかじめ決められた、架空のレースと組番の組み合わせ（この場合、第１３レース、単勝、１番）を埋め込んでチケット５の投票専用に使用する。
【００３７】
すなわち、通常の投票券７の投票処理に用いられる投票データ電文３−１は、投票に使用された端末装置１を識別する端末番号３−１ａ、実際に開催される第ｎレース（ｎ＝１〜１２）を識別するためのレース番号３−１ｂ、単勝か複勝かを区別する識別情報３−１ｃ、組番を示す投票番号３−１ｄ、投票金額３−１ｅ、等の情報で構成されている。
【００３８】
一方、チケット５の投票処理に用いられる投票データ電文３−２は、端末番号３−２ａ、レース番号３−２ｂ、識別情報３−２ｃ、投票番号３−２ｄ、および投票金額３−２ｅ等で構成され、上述の投票データ電文３−１と等価であるが、レース番号３−２ｂ、識別情報３−２ｃおよび投票番号３−２ｄは、あらかじめチケット５に専用に決められた、上述の架空の（第１３レース、単勝、１番）が設定される。
【００３９】
このように、本実施の形態では、実際のレースの投票に用いられる投票券７を処理する場合の投票データ電文３−１と、チケット５の処理に用いられる投票データ電文３−２の情報フォーマットが共通であるため、端末装置１と集計装置２の通信プロトコルや通信情報フォーマット等のインターフェイスの変更は不要となり、特に、集計装置２の側の変更は全く不要である。
【００４０】
図８は、端末装置１のディスプレイ１−１０に出力される端末画面１１〜端末画面１３の表示例であり、フローチャートの図１０、図１１、図１２にある状態で端末に表示される画面の内容を示している。
【００４１】
すなわち、端末画面１１は、チケット購入ボタン１１ａと投票券購入ボタン１１ｂが設けられ、入金時にチケット購入か投票券購入かを選択させるものである。
端末画面１２は、現金精算ボタン１２ａと投票券購入ボタン１２ｂが設けられ、チケット５の払い戻し時に、現金で受け取るか、払戻金にて投票券７を購入するかを選択させるものである。
【００４２】
端末画面１３は、現金精算ボタン１３ａとチケット精算ボタン１３ｂが設けられ、チケット５の払戻金にて投票券７を購入した後の残金を現金で受け取るか新たに残金の額面のチケット５で受け取るかを選択させるものである。
【００４３】
本実施の形態では、集計装置２にあらかじめ準備されている第１３レース（予備）の集計表４−１３を使ってバウチャ券に代わる、チケット５（減算する事を前提に発券された、架空の第１３レースの未確定投票券）を発行し、このチケット５を減算（払戻）した金額で通常の投票券７を購入するものである。
【００４４】
以下、本実施の形態の作用の一例について、図９〜図１３を参照して説明する。
まず、図９にて、全体の処理を概観する。なお、図９中の符号は、後述の図１０〜図１３のフローチャートのステップ番号に対応している。利用者がチケット５を購入する場合、端末装置１の現金処理部１−６に現金を投入すると、端末装置１は、集計装置２に、投票データ電文３−２にて投票処理を依頼し、集計装置２の処理が完了した時点で、投入金額相当の額面のチケット５を発券部１−４から発行する。
【００４５】
このチケット５の購入後に、たとえば、実際に投票券７を購入する場合、まず、現金の代わりに、チケット５を端末装置１の的中券／チケット読取部１−７に投入すると、端末装置１は、チケット５に対応した架空の第１３レースの投票組番４−１３ａに、当該チケット５の金額に対応した分の払い戻し要求を行い、集計装置２では、架空の第１３レースの投票組番４−１３ａの投票金額を当該払い戻し分だけ減算して、端末装置１に処理完了を応答すると、端末装置１は、この応答にて、当該端末装置１に当該払戻金分の入金があったものと見なす。
【００４６】
そして、利用者は、希望する投票内容が記載されたマークシート等の投票カード６を投票カード読取部１−５に読み取らせ、端末装置１は、この投票内容を集計装置２に対して投票データ電文３−１にて送信し、集計装置２は、この投票データ電文３−１を受信して該当する集計表の該当エントリに投票金額を加算して、正常終了を端末装置１に応答すると、端末装置１は、発券部１−４から投票券７を発券する。
【００４７】
その後、端末装置１は、残金の精算方法として、現金か、チケット５の再発行かを選択させ、チケット５の再発行の場合には、差額分を投票データ電文３−２を使って集計装置２に投票処理させ、処理が完了したら、差額分のチケット５を発行する。なお、チケット５の単なる現金化は、上述の処理中、投票券７の購入処理を省略した処理にて実現される。
【００４８】
次に、上述の図９の処理内容等を、図１０〜図１３のフローチャートにてより詳細に説明する。
はじめに、チケット５の購入方法は、図１０のフローに示される手順となる。端末機に現金８が投入され（ステップ１０１）、端末画面１１の提示に対してチケット購入ボタン１１ａにてチケット５の購入が選択されると（ステップ１０２）、端末装置１のＭＰＵ１−１は、現金処理部１−６に投入金額を問い合わせ、あらかじめ決められた、架空の第１３レースに対応した集計表４−１３の投票組番４−１３ａに前記の金額で投票する様に通信データをＲＡＭ１−３上に編集する。このデータを通信インターフェイス部１−８を使って、上位の集計装置２に送信する（ステップ１０３）。集計装置２は、送られてきた投票内容の通りに、投票組番４−１３ａに集計を加算する。その後、端末装置１に正常応答を返す。端末装置１はその正常応答を受信すると（ステップ１０４）、発券部１−４を動かして、チケット５を発券する（ステップ１０５）。
【００４９】
なお、上述のステップ１０２でチケット購入が選択されなかった場合（投票券購入ボタン１１ｂが選択された場合）には、現金による通常の投票券７の購入処理に移行する（ステップ１０６）。また、ステップ１０４で集計装置２から正常応答が得られない場合には所定のエラー処理が行われる（ステップ１０７）。
【００５０】
次に、チケット５を使った通常投の票券の購入方法であるが、図１１および図１２に発払兼用機としての端末装置１を使った場合の処理フローを示す。この処理フローにはチケット５の現金化フローも含まれる。
【００５１】
端末装置１の的中券／チケット読取部１−７に購入済のチケット５が挿入されると（ステップ２０１）、読み取ったレース、組番、金額はＭＰＵ１−１に通知される。ＭＰＵ１−１はＲＯＭ１−２に書き込まれているプログラムに従って、レース、投票組番があらかじめチケット５の処理用に決められたもの（架空の第１３レース）であった場合は、集計装置２に対してその投票内容の減算（払い戻し）を行う為の投票データ電文３−２を送信する（ステップ２０２）。端末装置１は集計装置２から減算正常終了の通知を受けると（ステップ２０３）、的中券／チケット読取部１−７で読み取った金額分、端末装置１に入金された様に処理し（ステップ２０４）、端末画面１２を提示して、現金精算の指定の有無を判別し（ステップ２０５）、現金精算ボタン１２ａで現金精算が指定された場合は当該チケット５の額面分を現金で払い戻す（ステップ２１６）。
【００５２】
一方、現金精算でない（投票券購入ボタン１２ｂが押された）場合は、投票内容の入力を待つ（ステップ２０６）。投票カード６によって投票内容が端末装置１に入力されると、ＭＰＵ１−１はその内容を投票データ電文３−１にて集計装置２に送信する（ステップ２０７）。集計装置２はこの内容を対応する実際のレースの集計表４−１〜４−１２に加算すると共に、端末装置１に正常応答を返す（ステップ２０８）。端末装置１はこの正常応答を受信すると発券部１−４を動かして、投票券７を発券し、入金額から購入金額を差し引く（ステップ２０９）。さらに投票内容がある場合は、上記の投票処理を繰り返す（ステップ２１０）。投票内容が無くなると、ＭＰＵ１−１は端末装置１内の入金残額を確認し（ステップ２１１）、残額がある場合は、まず、端末画面１３を提示して、チケット精算の指定の有無を判別し（ステップ２１２）、指定なし（現金精算ボタン１３ａを選択）の場合には残額を現金で払い戻す（ステップ２１７）。チケット精算（チケット精算ボタン１３ｂを選択）の場合には、その残額で、あらかじめ決められた架空の第１３レースの集計表４−１３の投票組番４−１３ａに投票する様に投票データ電文３−２の通信データを集計装置２に送信する（ステップ２１３）。
【００５３】
集計装置２は、送られてきた投票内容の通りに、投票組番４−１３ａに集計を加算し、その後、端末装置１に正常応答を返す。端末装置１はその正常応答を受信すると（ステップ２１４）、発券部１−４を動かして、残額分のチケット５を発券する（ステップ２１５）。
【００５４】
なお、ステップ２０３、ステップ２０８、ステップ２１４等で集計装置２の側から正常応答が得られなかった場合には、所定のエラー処理を行う（ステップ２１８）。
最後にチケット５を現金化する方法であるが、図１３に払戻機として端末装置１を使用した場合の処理フローを示す。
【００５５】
端末装置１の的中券／チケット読取部１−７に購入済のチケット５が挿入されると（ステップ３０１）、読み取ったレース・組番・金額はＭＰＵ１−１に通知される。ＭＰＵ１−１はＲＯＭ１−２に書き込まれているプログラムに従って、レース・投票組番があらかじめチケット処理用に決められたものであった場合は、集計装置２に対してその投票内容の減算（払い戻し）を行う為のデータを投票データ電文３−２にて送信する（ステップ３０２）。端末装置１は集計装置２から減算正常終了の通知を受けると（ステップ３０３）、的中券／チケット読取部１−７で読み取った金額分、端末装置１に入金された様に処理する（ステップ３０４）。その後、現金精算が選ばれると（ステップ３０５）、現金処理部１−６を動かして現金８を払い出す（ステップ３０６）。
【００５６】
発払兼用機として端末装置１を使用した場合の処理フローは、図１１のステップ２０５で現金精算が選ばれた場合の流れになる。
なお、上述のステップ３０３で集計装置２の側から正常応答が得られなかった場合には、所定のエラー処理を行う（ステップ３０７）。
【００５７】
以上説明したとおり本発明の実施の形態によれば、従来のバウチャ券の代わりに、架空のレースの払い戻し可能な未確定投票券としてチケット５を発行し、このチケット５を払い戻して通常の投票券７を購入し、残額分を、架空レースの未確定投票券であるチケット５として再度発行する事で、従来のように、通常の投票券７と異なる特別なバウチャ券を用いることなく、公営競技の運営に必要な現金量や、現金を取り扱う作業量や人員を大幅に削減できる効果が得られる。
【００５８】
すなわち、通常の投票券７と全く異なるバウチャ券を別途発行する場合には、既存のトータリゼータシステムを構成する端末装置１や集計装置２のハードウェアやソフトウェアに大幅な変更を加える必要があり、導入に多額のコストが掛かるが、本実施の形態では、上述のようにチケット５は投票券７と等価な仕組みで端末装置１および集計装置２の双方で取り扱われるので、集計装置２ではハードウェアやソフトウェアの変更が全く必要なく、端末装置１においても、チケット５の払戻金を投票券７の購入に当てる仕組みを実現するための小規模のプログラムや、チケット５の印刷用のプログラムの追加だけで済み、ハードウェアの変更は必要ない。また、端末装置１と集計装置２の間の通信インターフェイスの変更も不要であり、新たなプロトコル等の定義追加も不要である。
【００５９】
従って、既存の現金ベースのトータリゼータシステムに対して、極めて低コストにて導入でき、公営競技の運営に必要な現金量や、現金を取り扱う作業量や人員を大幅に削減できる効果が得られる。
【００６０】
上述の実施の形態の説明では、チケット５を投票券７の購入に用いる場合を例示したが、必要に応じて、競技場内の物品の買い物やサービスの精算にも用いるようにしてもよい。
【００６１】
（付記１）
開催されない架空のレースの投票組番に対応した第１投票券を現金と引き換えに発行するステップと、
実際に開催されるレースの投票組番に対応した第２投票券を発行するための代金を、前記第１投票券のキャンセルに対する払戻金を用いて精算するステップと、
を含むことを特徴とする投票方法。
（付記２）
精算後の前記払戻金の残額を、現金化するか、または新たに架空の前記レースの前記投票組番に対応した前記残額分の前記第１投票券を発行するステップをさらに含むことを特徴とする付記１に記載の投票方法。
【００６２】
（付記３）
的中した前記第２投票券への配当金の代わりに前記第１投票券を発行するステップをさらに含むことを特徴とする付記１または付記２に記載の投票方法。
【００６３】
（付記４）
トータリゼータシステムの集計装置に接続される端末装置であって、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を含むことを特徴とする端末装置。
（付記５）
精算後の前記払戻金の残額を、現金化するか、または新たに架空の前記レースの前記投票組番に対応した前記残額分の前記第１投票券を発行する機能をさらに含むことを特徴とする付記４に記載の端末装置。
【００６４】
（付記６）
的中した前記第２投票券への配当金の代わりに前記第１投票券を発行する機能をさらに含むことを特徴とする付記４または付記５に記載の端末装置。
【００６５】
（付記７）
前記第１投票券の発行に際して前記集計装置との間で授受される情報フォーマットと、第２投票券の発行に際して前記焼結装置との間で授受される情報フォーマットとが共通であることを特徴とする付記４記載の端末装置。
【００６６】
（付記８）
集計装置に接続される複数の端末装置を含むトータリゼータシステムであって、
前記端末装置は、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を含むことを特徴とするトータリゼータシステム。
（付記９）
コンピュータをトータリゼータシステムの端末装置として機能させるプログラムであって、
前記コンピュータに、
開催されない架空のレースの投票組番に対応した第１投票券を現金と引き換えに発行する機能と、
実際に開催されるレースの投票組番に対応した第２投票券を発行するための代金を、前記第１投票券のキャンセルに対する払戻金を用いて精算する機能と、
を実現させることを特徴とするプログラム。
（付記１０）
コンピュータをトータリゼータシステムの端末装置として機能させるプログラムが格納されたコンピュータ読み取り可能な記録媒体であって、
前記コンピュータに、開催されない架空のレースの投票組番に対応した第１投票券を現金と引き換えに発行する機能と、実際に開催されるレースの投票組番に対応した第２投票券を発行するための代金を、前記第１投票券のキャンセルに対する払戻金を用いて精算する機能と、を実現させるプログラムが格納された記録媒体。
（付記１１）
開催されない架空のレースおよび投票組番が、目視可能な態様および機械可読な態様の少なくとも一方にて記載され、その払戻金が、実際に開催されるレースの投票組番に対応した別の投票券を発行するための代金の精算に用いられることを特徴とする投票券。
【００６７】
（付記１２）
開催されない架空のレースの投票組番に対応した第１投票券を現金と引き換えに発行するステップと、
実際に開催されるレースの投票組番に対応した第２投票券を発行するための代金を、前記第１投票券のキャンセルに対する払戻金を用いて精算するステップと、
を含むことを特徴とする公営競技場の運営方法。
【００６８】
（付記１３）
あらかじめ決められた架空のレース・投票組番を使い、残金をチケット（未確定投票券）で出す場合はこの投票組番を使って、チケットを発券し、逆にチケットを現金化する場合は、チケットに書き込まれた投票内容を減算（払い戻し）する事で、現金化する事を特徴としたチケット投票方式。
【００６９】
（付記１４）
的中券／チケット読取部と発券部と現金処理部を有し、現金の代わりに、架空のレース・投票組番への未確定投票券としてチケットを発券する機能と、チケットを読み込ませて払い戻しにより現金化する機能と、チケットを読み込ませて払い戻しを行い、当該払戻金額内の投票券の購入を可能とする機能と、を備えた端末装置。
【図面の簡単な説明】
【００７０】
【図１】本発明の一実施の形態であるトータリゼータシステムを構成する端末装置の構成の一例を示すブロック図である。
【図２】本発明の一実施の形態であるトータリゼータシステムを構成する集計装置の構成の一例を示すブロック図である。
【図３】集計装置における集計表の構成の一例を示す概念図である。
【図４】（ａ）および（ｂ）は、本発明の一実施の形態にて使用されるチケットおよび投票券を対照して示す外観図である。
【図５】（ａ）および（ｂ）は、本発明の一実施の形態にて使用されるチケットおよび投票券の変形例を対照して示す外観図である。
【図６】本発明の一実施の形態の投票方法にて使用されるチケットおよび投票券の変形例を示す外観図である。
【図７】（ａ）および（ｂ）は、本発明の一実施の形態である端末装置から集計装置に送られる投票データ電文例を、投票券とチケットの場合を対照して例示した概念図である。
【図８】本発明の一実施の形態である端末装置における端末画面の構成例を示す概念図である。
【図９】本発明の一実施の形態である投票方法の作用の一例を示すフローチャートである。
【図１０】本発明の一実施の形態である投票方法におけるチケット購入処理の一例を示すフローチャートである。
【図１１】本発明の一実施の形態である投票方法におけるチケットによる投票券の購入処理の一例を図１２とともに示すフローチャートである。
【図１２】本発明の一実施の形態である投票方法におけるチケットによる投票券の購入処理の一例を図１１とともに示すフローチャートである。
【図１３】本発明の一実施の形態である投票方法におけるチケットの現金化処理の一例を示すフローチャートである。
【符号の説明】
【００７１】
１  端末装置
１−１  ＭＰＵ
１−２  ＲＯＭ
１−３  ＲＡＭ
１−４  発券部
１−５  投票カード読取部
１−６  現金処理部
１−７  的中券／チケット読取部
１−８  通信インターフェイス部
１−９  可搬媒体ドライブ
１−１０  ディスプレイ
１−１１  情報伝送路
２  集計装置
２−１  ＭＰＵ
２−２  ＲＯＭ
２−３  ＲＡＭ
２−４  外部記憶装置
２−５  通信インターフェイス部
３  情報ネットワーク
３−１  投票データ電文
３−１ａ  端末番号
３−１ｂ  レース番号
３−１ｃ  識別情報
３−１ｄ  投票番号
３−１ｅ  投票金額
３−２  投票データ電文
３−２ａ  端末番号
３−２ｂ  レース番号
３−２ｃ  識別情報
３−２ｄ  投票番号
３−２ｅ  投票金額
４−１〜４−１２  集計表
４−１３  集計表
４−１３ａ  投票組番
５  チケット（第１投票券）
５ａ  バーコード部
５ｂ  記載事項
５−１  チケット（第１投票券）
５−１ａ  磁気データ部
５−１ｂ  記載事項
５−２  チケット（第１投票券）
５−２ａ  記載事項
５−２ｂ  記載事項
６  投票カード
７  投票券（第２投票券）
７ａ  バーコード部
７ｂ  記載事項
７−１  投票券（第２投票券）
７−１ａ  磁気データ部
８  現金
９  記録媒体
１１  端末画面
１１ａ  チケット購入ボタン
１１ｂ  投票券購入ボタン
１２  端末画面
１２ａ  現金精算ボタン
１２ｂ  投票券購入ボタン
１３  端末画面
１３ａ  現金精算ボタン
１３ｂ  チケット精算ボタン
【図１】
2005292931.tif 000003
【図２】
2005292931.tif 000004
【図３】
2005292931.tif 000005
【図４】
2005292931.tif 000006
【図５】
2005292931.tif 000007
【図６】
2005292931.tif 000008
【図７】
2005292931.tif 000009
【図８】
2005292931.tif 000010
【図９】
2005292931.tif 000011
【図１０】
2005292931.tif 000012
【図１１】
2005292931.tif 000013
【図１２】
2005292931.tif 000014
【図１３】
2005292931.tif 000015